(57)【特許請求の範囲】
【請求項１】
第１のアンテナ部と、
前記第１のアンテナ部から離間して配された第２のアンテナ部と、
前記第１のアンテナ部が内蔵された第１の筐体と、
前記第２のアンテナ部が内蔵された第２の筐体と、
前記第２の筐体に対して前記第１の筐体を回動させ、前記第１の筐体と前記第２の筐体との位置関係を変えることにより、前記第１のアンテナ部と前記第２のアンテナ部との間の位置関係を変える回動軸と、
前記第１の筐体の先端に設けられたＵＳＢコネクタと、を有し、
前記回動軸が２箇所以上に設けられており、
前記第２の筐体は直方体形状の第１の端面から突出した突出部を有し、
前記第１の筐体は、前記第２の筐体の前記第１の端面と前記第２の筐体の前記突出部とに隣接して配置され、
前記第２の筐体の前記突出部と前記第１の筐体とは前記回動軸で接続されており、
前記第２の筐体に対して前記第１の筐体が回動することによって、前記ＵＳＢコネクタの先端が前記第２の筐体で覆われた状態と、前記ＵＳＢコネクタの先端が露出した状態とに変えられる、ＭＩＭＯ通信装置。
【請求項２】
第１のアンテナ部と、
前記第１のアンテナ部から離間して配された第２のアンテナ部と、
前記第１のアンテナ部と前記第２のアンテナ部との間の位置関係を変える可動部と、
前記第１のアンテナ部を内蔵した第１の筐体と、
前記第２のアンテナ部を内蔵した第２の筐体と、
前記第１の筐体の先端に設けられたＵＳＢコネクタと、を有し、
前記可動部は、前記第２の筐体に対して前記第１の筐体を回動させる回動軸であり、
前記第２のアンテナ部と前記回動軸との間の距離は、前記第１のアンテナ部と前記回動軸との間の距離よりも長い、ＭＩＭＯ通信装置。
【発明の詳細な説明】
【技術分野】
【０００１】
本発明は、ＭＩＭＯ通信装置に関し、特にＵＳＢ型のＭＩＭＯ通信装置に関する。
【背景技術】
【０００２】
多重入出力（Multi Input Multi Output：ＭＩＭＯ）通信装置は、無線信号を送信および受信するアンテナを複数備えている（特許文献１参照）。複数のアンテナは、時間符号化（ＳＴＣ）の技術を用いて、それぞれ別の信号を同時に送信する。
【０００３】
受信側のアンテナは、送信側の複数のアンテナから送信された複数の信号を同時に受信する。無線信号の伝送経路は、送信側のアンテナと受信側のアンテナの数の積だけ存在する。つまり、受信側の各アンテナは、全ての送信側のアンテナから送信された複数の信号が混在した混在信号を受信する。
【０００４】
受信側のアンテナで受信した複数の混在信号は、時間複合化（ＳＴＤ）の技術、つまりマルチパス伝送路に応じた行列計算を行うことによって個々の信号に分離される。このようにして、複数のアンテナによって異なる信号を同時に送信および受信できるため、ＭＩＭＯ通信装置は、伝送容量の増大を実現することが可能である。
【０００５】
このようなＭＩＭＯ通信装置として、パーソナルコンピュータなどの情報機器に着脱可能なＵＳＢ型のＭＩＭＯ通信装置も存在している。
【先行技術文献】
【特許文献】
【０００６】
【特許文献１】特開２００９−０４９９８２号公報
【発明の概要】
【発明が解決しようとする課題】
【０００７】
ＭＩＭＯ通信装置において、符号化および／または複合化は、無線信号の伝送経路、いわゆるマルチパス伝送路に応じた行列計算によって行われる。そのため、使用環境の変化に応じて電波状況が変化した場合、複数の混在信号を完全に個々の信号に分離することができず、ノイズの原因となるという課題がある。
【０００８】
符号化および／または複合化は、アンテナ間の位置関係の相違に基づいて行われる。そのため、小型のＭＩＭＯ通信装置ではアンテナ間の距離が短くなり、複数の混在信号を精度良く個々の信号に分離することは難しいという課題もある。
【０００９】
本発明の目的は、上記課題の少なくとも１つを解決するＭＩＭＯ通信装置を提供することにある。その目的の一例は、使用環境により電波状況が変化したとしても、通信性能の低下を抑制することにある。
【課題を解決するための手段】
【００１０】
一態様におけるＭＩＭＯ通信装置は、第１のアンテナ部と、第１のアンテナ部から離間して配された第２のアンテナ部と、第１のアンテナ部と第２のアンテナ部との間の位置関係を変える可動部と、を備えている。
【発明の効果】
【００１１】
本発明によれば、使用環境により電波状況が変化したとしても、通信性能の低下を抑制することができる。
【図面の簡単な説明】
【００１２】
【図１】本発明の一実施形態に係るＭＩＭＯ通信装置の概略平面図である。
【図２】図１に示すＭＩＭＯ通信装置において、アンテナ部の位置関係が変えられることを説明する図である。
【図３】比較例におけるＭＩＭＯ通信装置の構成を説明する概略図である。
【発明を実施するための形態】
【００１３】
以下、本発明の実施形態について図面を参照して説明する。
【００１４】
図１は、本発明の一実施形態に係るＭＩＭＯ通信装置の概略平面図である。図２は、図１とは異なる面から見た、ＭＩＭＯ通信装置の概略平面図である。
【００１５】
ＭＩＭＯ通信装置１０は、第１のアンテナ部１２および第２のアンテナ部１４を備えている。第２のアンテナ部１４は、第１のアンテナ部１２から離間して配されている。図２に示すように、第１のアンテナ部１２と第２のアンテナ部１４との間の位置関係は、可動部１６によって変えられるようになっている（図２（ａ）および図２（ｂ）参照）。可動部１６は、第１のアンテナ部１２と第２のアンテナ部１４との間の位置関係を変えることが出来る限り、どのような構成であっても良い。
【００１６】
ＭＩＭＯ通信装置１０は、送信回路３４および受信回路３２を備えている。送信回路３４は、複数のデータを同時に送信するため、これらのデータを符号化する。符号化されたデータは、アンテナ部１２，１４から送信される。
【００１７】
アンテナ部１２，１４は、別の通信機器から送信されたデータを受信するためにも用いられる。受信したデータは、複数のデータが混在した混在信号であり、受信回路３２はこの混在信号を各々の信号に分離する。
【００１８】
本発明によれば、使用環境の変化などにより電波状況が変わったとしても、通信性能の低下を抑制するように、第１のアンテナ部１２と第２のアンテナ部１４との間の位置関係を調整することができる。これにより、受信回路３２は、混在信号を精度良く各々の信号に分離することができるようになる。
【００１９】
図３は比較例におけるＭＩＭＯ通信装置４０の概略平面図である。図３において、図１および図２と同じ構成要素には同じ符号を付している。比較例のＭＩＭＯ通信装置４０は、アンテナ部１２，１４の位置関係が本発明のＭＩＭＯ通信装置１０と異なっている。比較例では、２つのアンテナ部１２，１４が近接して設けられており、アンテナ部１２，１４間の位置関係は固定されている。したがって、比較例のＭＩＭＯ通信装置４０では、使用環境の変化などにより電波状況が変わったときに、通信性能が低下してしまう。
【００２０】
本実施形態では、第１のアンテナ部１２は第１の筐体２２に内蔵されていることが好ましい。第２のアンテナ部１４は第２の筐体２４に内蔵されていることが好ましい。アンテナ部１２，１４が内蔵されているため、ＭＩＭＯ通信装置１０の強度、設計上の自由度およびデザインの向上を図ることができる。
【００２１】
この場合、第１の筐体２２と第２の筐体２４とは可動部１６によって互いに接続されている。図に示すように、可動部１６は、第２の筐体２４に対して第１の筐体２２を回動させる回動軸であって良い。これにより、容易に、第１のアンテナ部１２と第２のアンテナ部１４との間の位置関係を変えることが出来る。
【００２２】
図１および図２に示すように、第２の筐体２４は概ね長い直方体形状になっていることが好ましい。第２の筐体２４の長手方向の一端付近に第２のアンテナ部１４が設けられており、第２の筐体２４の長手方向の他端付近に第１の筐体２２が位置している。これにより、２つのアンテナ部１２，１４間の距離が確保されるため、アンテナ特性の相関を低くすることができる。したがって、多重入出力方式の通信速度と通信品質の両方を向上させることが可能である。
【００２３】
第１の筐体２２にはＵＳＢコネクタ１８が設けられていることが好ましい。ＭＩＭＯ通信装置１０は、ＵＳＢコネクタ１８を介して、パーソナルコンピュータなどの情報機器３８に接続される。
【００２４】
具体的には、第２の筐体２４は、略直方体形状をしており、直方体形状の一端面（第１の端面）から突出した突出部２５を有している。ＵＳＢコネクタ１８は、第１の筐体２２の先端に設けられている。第１の筐体２２は、第２の筐体２４の上記第１の端面と第２の筐体２４の突出部２５とに隣接して配置されており、回動軸１６によって第２の筐体の突出部２５と接続されている。回動軸１６は、第１の筐体２２の中心付近に設けられている。ＵＳＢコネクタ１８は、第１の筐体２２の一端に設けられており、第１のアンテナ部１２は第１の筐体２２の他端付近に設けられている。第１の筐体２２が第２の筐体２４に対して回動することによって、ＵＳＢコネクタ１８の先端が第２の筐体２４で覆われた状態（図２（ａ）参照）と、ＵＳＢコネクタ１８の先端が露出した状態（図２（ｂ）参照）とに変えられる。これにより、未使用時に、ＵＳＢコネクタ１８の先端を覆った状態で保管することができるという利点がある。
【００２５】
図１では、第２の筐体２４の一端面（第１の端面）から突出した突出部２５は２つ存在している。しかしながら、突出部２５は、第１の筐体２２を回動可能に保持できれば１つであっても良い。
【００２６】
上記実施形態では、２つのアンテナ部を備えたＭＩＭＯ通信装置１０について説明したが、本発明は、３つ以上のアンテナ部を備えたＭＩＭＯ通信装置にも適用できる。この場合、少なくとも特定の２つのアンテナ部の位置関係が可変に構成されていれば良い。また、任意のアンテナ部の位置関係を変えられるように、可動部は、２箇所以上に存在していても良い。
【００２７】
以上、本発明者によってなされた発明を実施例に基づき説明したが、本発明は上記実施例に限定されるものではなく、その要旨を逸脱しない範囲で種々変更可能であることは言うまでもない。
【符号の説明】
【００２８】
１０    ＭＩＭＯ通信装置
１２    第１のアンテナ部
１４    第２のアンテナ部
１６    可動部
１８    コネクタ
２２    第１の筐体
２４    第２の筐体
２５    突出部
３２    受信回路
３４    送信回路
３８    情報機器
【図１】
0005366217.tif 000002
【図２】
0005366217.tif 000003
【図３】
0005366217.tif 000004